(57)【要約】【課題】１連用の取付枠に設けられるスイッチ装置で、複数の負荷を制御する。【解決手段】スイッチ装置１は、複数の負荷Ｌ１〜Ｌ３に配線接続される。スイッチ装置１は、１連用の取付枠８の開口８ａに設けられ、外部から送信された制御信号を受信する通信部４０と、通信部４０にて受信した制御信号に基づいて、複数の負荷Ｌ１〜Ｌ３を制御する制御部２０とを備える。【選択図】図２Ａ
2019133770.tif 000002
【特許請求の範囲】
【請求項１】
複数の負荷に配線接続されるスイッチ装置であって、
前記スイッチ装置は、１連用の取付枠の開口に設けられ、
外部から送信された制御信号を受信する通信部と、
前記通信部にて受信した制御信号に基づいて、前記複数の負荷を制御する制御部と
を備えるスイッチ装置。
【請求項２】
前記制御信号は、前記複数の負荷のうち１以上の負荷を選択する選択信号、および、選択された前記１以上の負荷の作動状態を変更する作動変更信号を含み、
前記制御部は、前記通信部を介して受信した前記選択信号に基づいて前記１以上の負荷を選択し、前記通信部を介して受信した前記作動変更信号に基づいて、選択された前記１以上の負荷の作動状態を制御する
請求項１に記載のスイッチ装置。
【請求項３】
前記複数の負荷のそれぞれは、照明器具であり、
前記作動変更信号は、前記照明器具の調光に関する作動状態を変更する信号である
請求項２に記載のスイッチ装置。
【請求項４】
さらに、前記複数の負荷のうち１以上の負荷を選択する入力を受け付ける選択入力部、および、選択された前記１以上の負荷の作動状態を変更する入力を受け付ける作動入力部、を有する操作部を備え、
前記制御部は、前記通信部を介して受信した前記選択信号または前記選択入力部にて受け付けた入力に基づいて前記１以上の負荷を選択し、前記通信部を介して受信した前記作動変更信号または前記作動入力部にて受け付けた入力に基づいて、選択された前記１以上の負荷の作動状態を制御する
請求項２または３に記載のスイッチ装置。
【請求項５】
複数の負荷に配線接続されるスイッチ装置と、前記スイッチ装置と通信する操作端末とを備えるスイッチシステムであって、
前記操作端末は、
前記複数の負荷を制御する入力を受け付ける端末入力部と、
前記端末入力部で受け付けた入力に基づき、前記複数の負荷を制御する制御信号を出力する第１の制御部と、
前記第１の制御部から出力された前記制御信号を送信する第１の通信部と、を備え、
前記スイッチ装置は、
１連用の取付枠の開口に設けられ、
前記操作端末から送信された前記制御信号を受信する第２の通信部と、
前記第２の通信部にて受信した前記制御信号に基づいて、前記複数の負荷を制御する第２の制御部と、を備える
スイッチシステム。
【請求項６】
前記制御信号は、前記複数の負荷のうち１以上の負荷を選択する選択信号、および、選択された前記１以上の負荷の作動状態を変更する作動変更信号を含み、
前記第２の制御部は、前記第２の通信部を介して受信した前記選択信号に基づいて前記１以上の負荷を選択し、前記第２の通信部を介して受信した前記作動変更信号に基づいて、選択された前記１以上の負荷の作動状態を制御する
請求項５に記載のスイッチシステム。
【請求項７】
前記複数の負荷のそれぞれは、照明器具であり、
前記作動変更信号は、前記照明器具の調光に関する作動状態を変更する信号である
請求項６に記載のスイッチシステム。
【請求項８】
前記操作端末は、選択された前記１以上の負荷を示す、または、前記１以上の負荷の作動状態を示す報知部をさらに備え、
前記第１の制御部は、前記選択信号または前記作動変更信号に基づいて、前記報知部を作動させる
請求項６または７に記載のスイッチシステム。
【請求項９】
複数の負荷を制御するスイッチ装置と通信する操作端末にて実行されるプログラムであって、
前記複数の負荷を制御する入力を受け付ける第１ステップと、
前記第１ステップで受け付けた入力に基づき、前記複数の負荷を制御する制御信号を出力する第２ステップと、
前記第２ステップで出力された前記制御信号を、１連用の取付枠の開口に設けられたスイッチ装置に送信する第３ステップと、
を含むプログラム。
【請求項１０】
前記制御信号は、前記複数の負荷のうち１以上の負荷を選択する選択信号、および、選択された前記１以上の負荷の作動状態を変更する作動変更信号を含む
請求項９に記載のプログラム。
【請求項１１】
前記複数の負荷のそれぞれは、照明器具であり、
前記作動変更信号は、前記照明器具の調光に関する作動状態を変更する信号である
請求項１０に記載のプログラム。
【発明の詳細な説明】
【技術分野】
【０００１】
本発明は、負荷を制御するためのスイッチ装置、このスイッチ装置と操作端末とを備えるスイッチシステム、および、この操作端末にて実行されるプログラムに関する。
【背景技術】
【０００２】
従来、照明器具などの負荷を制御するためのスイッチ装置が知られている。この種のスイッチ装置の一例として、特許文献１には、規格化されたサイズに対応した１連用の取付枠を用いて建物の壁に取り付けられるスイッチ装置が開示されている。
【先行技術文献】
【特許文献】
【０００３】
【特許文献１】特開２０１５−１８７９１８号公報
【発明の概要】
【発明が解決しようとする課題】
【０００４】
特許文献１に開示されたスイッチ装置では、制御対象である負荷と、その負荷を制御するためのスイッチ装置とが１対１で対応している。そのため、例えば複数の負荷を制御する場合は、多連用の取付枠に複数のスイッチ装置を設ける必要があり、壁における複数のスイッチ装置の占有面積が大きくなる。
【０００５】
そこで、本発明は、１連用の取付枠に設けられるスイッチ装置で、複数の負荷を制御することを目的とする。また、本発明は、１連用の取付枠に設けられるスイッチ装置と操作端末とを備えるスイッチシステムで、複数の負荷を制御することを目的とする。また、本発明は、上記操作端末にて実行されるプログラムを用いて、複数の負荷を制御することを目的とする。
【課題を解決するための手段】
【０００６】
本発明のスイッチ装置の一態様は、複数の負荷に配線接続されるスイッチ装置であって、前記スイッチ装置は、１連用の取付枠の開口に設けられ、外部から送信された制御信号を受信する通信部と、前記通信部にて受信した制御信号に基づいて、前記複数の負荷を制御する制御部とを備える。
【０００７】
本発明のスイッチシステムの一態様は、複数の負荷に配線接続されるスイッチ装置と、前記スイッチ装置と通信する操作端末とを備えるスイッチシステムであって、前記操作端末は、前記複数の負荷を制御する入力を受け付ける端末入力部と、前記端末入力部で受け付けた入力に基づき、前記複数の負荷を制御する制御信号を出力する第１の制御部と、前記第１の制御部から出力された前記制御信号を送信する第１の通信部と、を備え、前記スイッチ装置は、１連用の取付枠の開口に設けられ、前記操作端末から送信された前記制御信号を受信する第２の通信部と、前記第２の通信部にて受信した前記制御信号に基づいて、前記複数の負荷を制御する第２の制御部と、を備える。
【０００８】
本発明のプログラムの一態様は、複数の負荷を制御するスイッチ装置と通信する操作端末にて実行されるプログラムであって、前記複数の負荷を制御する入力を受け付ける第１ステップと、前記第１ステップで受け付けた入力に基づき、前記複数の負荷を制御する制御信号を出力する第２ステップと、前記第２ステップで出力された前記制御信号を、１連用の取付枠の開口に設けられたスイッチ装置に送信する第３ステップと、を含む。
【発明の効果】
【０００９】
本発明は、１連用の取付枠に設けられるスイッチ装置で、複数の負荷を制御することができる。また、本発明は、１連用の取付枠に設けられるスイッチ装置と操作端末とを備えるスイッチシステムで、複数の負荷を制御することができる。また、本発明は、上記操作端末にて実行されるプログラムを用いて、複数の負荷を制御することができる。
【図面の簡単な説明】
【００１０】
【図１】実施の形態に係るスイッチシステムを備える負荷制御システムを示す図である。
【図２Ａ】実施の形態に係るスイッチシステムのスイッチ装置および操作端末を示すブロック図である。
【図２Ｂ】実施の形態に係るスイッチ装置のスイッチ素子部を示す回路図である。
【図３】実施の形態に係るスイッチ装置および取付枠が造営材に取り付けられる様子を示す図である。
【図４】実施の形態に係るスイッチ装置および取付枠を示す図である。
【図５】実施の形態に係るスイッチシステムの操作端末を示す図である。
【図６】実施の形態に係る操作端末の制御部にて実行されるプログラムのフローチャートである。
【図７Ａ】実施の形態に係る操作端末を用いた操作の一例を示す図である。
【図７Ｂ】実施の形態に係る操作端末を用いた操作の他の一例を示す図である。
【図８】実施の形態の変形例に係る操作端末を示す図である。
【発明を実施するための形態】
【００１１】
以下、実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態）
［１−１．スイッチシステムの構成］
まず、実施の形態に係るスイッチシステム２について説明する。図１は、スイッチシステム２を備える負荷制御システム５を示す概略図である。図２Ａは、スイッチシステム２のスイッチ装置１および操作端末５０を示すブロック図である。
【００１４】
図１に示すように、負荷制御システム５は、複数の負荷Ｌ１、Ｌ２、Ｌ３と、１つのスイッチ装置１と、操作端末５０とを備えている。スイッチシステム２は、負荷制御システム５のうちのスイッチ装置１と操作端末５０とによって構成されている。
【００１５】
各負荷Ｌ１〜Ｌ３は、例えば、シーリングライトまたはダウンライトなどの照明器具であり、建物の造営材９である天井に設置される。各負荷Ｌ１〜Ｌ３は、照明器具に限られず、送風機であってもよい。負荷の数は３に限られず、２以上であってもよい。
【００１６】
スイッチ装置１は、各負荷Ｌ１〜Ｌ３に配線接続される。図２Ａに示すように、スイッチ装置１は、共通の端子ｔｃと、それぞれ異なる３つの端子ｔ１、ｔ２、ｔ３とを有している。各負荷Ｌ１〜Ｌ３は、配線を介してＡＣ電源に接続されている。ＡＣ電源は、配線を介して共通の端子ｔｃに接続されている。また、負荷Ｌ１は、配線を介して端子ｔ１に接続され、負荷Ｌ２は、配線を介して端子ｔ２に接続され、負荷Ｌ３は、配線を介して端子ｔ３に接続されている。
【００１７】
操作端末５０は、例えば、スマートフォンまたはタブレット端末などの携帯端末である。操作端末５０は、無線通信ｒ１によって、スイッチ装置１と通信可能となっている。無線通信ｒ１による通信方式としては、９２０ＭＨｚ帯または２．４ＧＨｚ帯の周波数を利用した特定小電力無線、Zigbee（登録商標）、Bluetooth（登録商標）またはWiFi（登録商標）などの方式が用いられる。
【００１８】
本実施の形態のスイッチシステム２では、スイッチ装置１を用いたユーザ操作によって負荷Ｌ１〜Ｌ３を制御することができ、また、操作端末５０を用いたユーザ操作によって、複数の負荷Ｌ１〜Ｌ３を制御することができる。以下、スイッチシステム２を構成するスイッチ装置１および操作端末５０のそれぞれについて説明する。
【００１９】
［１−２．スイッチ装置の構成］
図３は、スイッチ装置１および取付枠８が造営材９に取り付けられる様子を示す図である。図４は、スイッチ装置１および取付枠８を示す図である。なお、図３では、取付枠８を覆うプレート枠および化粧プレートの記載を省略している。
【００２０】
スイッチ装置１は、図３に示すように、建物の造営材９の一例である壁に設置される。具体的には、造営材９の開口９ａに、１連用の取付枠８が締結部材等を用いて取り付けられ、スイッチ装置１は、取付枠８の開口８ａに挿入された状態、すなわち取付枠８に収納された状態で、取付枠８に固定される。
【００２１】
なお、造営材９の開口９ａは、長方形状であり、規格化された収納サイズを有している。１連用の場合、造営材９の開口９ａの寸法は、例えば垂直方向が９０ｍｍまたは９５ｍｍであり、水平方向が５１ｍｍである（ＪＩＳ  Ｃ  ８３０４参照）。１連用の取付枠８は、この規格化された収納サイズに取り付けられる。なお、２連用の場合、造営材９の開口９ａの寸法は、垂直方向が９０ｍｍまたは９５ｍｍであり、水平方向が９７ｍｍである。
【００２２】
図２Ａに示すように、スイッチ装置１は、各負荷Ｌ１〜Ｌ３を制御するための入力を受け付ける操作部１０と、各負荷Ｌ１〜Ｌ３を制御する制御部（第２の制御部）２０と、報知部３０と、通信部（第２の通信部）４０とを備えている。操作部１０、報知部３０および通信部４０のそれぞれは、制御部２０に接続されている。
【００２３】
通信部４０は、例えば無線モジュールおよびアンテナによって構成されている。通信部４０は、無線通信ｒ１によって、操作端末５０の通信部（第１の通信部）５０ｂと通信する。通信部４０は、操作端末５０から送信された制御信号を受信し、制御部２０に出力する。制御信号は、複数の負荷Ｌ１〜Ｌ３のうち１以上の負荷を選択する選択信号、および、選択された１以上の負荷の作動状態を変更する作動変更信号を含む信号である。この制御信号については後述する。
【００２４】
操作部１０は、負荷Ｌ１〜Ｌ３を制御するための所定の操作入力を受け付ける部分であり、選択入力部１１および作動入力部１２を有している。選択入力部１１は、負荷Ｌ１〜Ｌ３のうち１以上の負荷を選択する入力を受け付ける。作動入力部１２は、選択入力部１１にて選択された１以上の負荷の作動状態を変更する入力を受け付ける。例えば、各負荷Ｌ１〜Ｌ３が照明器具である場合、作動入力部１２は、照明器具の調光に関する作動状態を変更する入力を受け付ける。
【００２５】
操作部１０は、例えば、静電容量式のタッチパネルＴＰを有している。また操作部１０は、図３に示すように、スイッチ装置１が取付枠８の開口８ａに設けられた場合に露出する操作面１０ａを有している。操作面１０ａは、スイッチ装置１が取付枠８に設けられた場合に、垂直方向に沿って配置される。前述した選択入力部１１および作動入力部１２は、同一の操作面１０ａ上に設けられる。
【００２６】
制御部２０は、選択入力部１１にて受け付けた入力に基づいて上記１以上の負荷を選択する。また、制御部２０は、作動入力部１２にて受け付けた入力に基づいて、選択された上記１以上の負荷の作動状態を制御する。
【００２７】
本実施の形態における制御部２０は、選択入力部１１および作動入力部１２にて受け付けた入力に限られず、通信部４０で受信した制御信号に基づいて、上記１以上の負荷を制御する。すなわち制御部２０は、通信部４０を介して受信した選択信号に基づいて上記１以上の負荷を選択する。また、制御部２０は、通信部４０を介して受信した作動変更信号に基づいて、負荷の作動状態を変更し、かつ、変更後の作動状態を維持するように負荷を制御する。
【００２８】
制御部２０は、スイッチ制御部２１と、スイッチ制御部２１に接続される複数のスイッチ素子部２２ａ、２２ｂ、２２ｃとを有している。なお、図２Ａには示していないが、制御部２０は、電源回路部および記憶部等を有している。
【００２９】
各スイッチ素子部２２ａ〜２２ｃは、各負荷Ｌ１〜Ｌ３に１対１で接続される。具体的には、スイッチ素子部２２ａの一端側は端子ｔｃに接続され、他端側は端子ｔ１に接続される。スイッチ素子部２２ｂの一端側は端子ｔｃに接続され、他端側は端子ｔ２に接続される。スイッチ素子部２２ｃの一端側は端子ｔｃに接続され、他端側は端子ｔ３に接続される。
【００３０】
スイッチ制御部２１は、上記選択信号および選択入力部１１で受け付けた入力に基づいて、スイッチ素子部２２ａ〜２２ｃのうち、これから作動変更すべきである１以上のスイッチ素子部（例えばスイッチ素子部２２ａ）を選択する。また、スイッチ制御部２１は、上記作動変更信号および作動入力部１２で受け付けた入力に基づいて、選択されたスイッチ素子部２２ａを制御する。
【００３１】
図２Ｂは、スイッチ装置１のスイッチ素子部２２ａを示す図である。ここでは、スイッチ素子部２２ａ〜２２ｃのうち、スイッチ素子部２２ａを代表例に挙げて説明する。
【００３２】
スイッチ素子部２２ａは、互いに直列接続されたトランジスタＴｒ１、Ｔｒ２、および、トランジスタＴｒ１に並列接続されたダイオードｄ１、トランジスタＴｒ２に並列接続されたダイオードｄ２を有している。トランジスタＴｒ１のドレイン側は、前述した端子ｔｃに接続され、ソース側は、トランジスタＴｒ２のソース側に接続されている。トランジスタＴｒ２のドレイン側は、前述した端子ｔ１に接続されている。トランジスタＴｒ１、Ｔｒ２の各ゲートは、スイッチ制御部２１に接続されている。ダイオードｄ１のアノードは、トランジスタＴｒ１のソース側に接続され、カソードは、トランジスタＴｒ１のドレイン側に接続されている。ダイオードｄ２のアノードは、トランジスタＴｒ２のソース側に接続され、カソードは、トランジスタＴｒ２のドレイン側に接続されている。
【００３３】
スイッチ制御部２１は、スイッチ素子部２２ａ〜２２ｃにおける各トランジスタＴｒ１、Ｔｒ２の作動を制御することで、負荷Ｌ１〜Ｌ３の作動状態を制御する。具体的には、スイッチ制御部２１は、逆位相制御によって、負荷Ｌ１〜Ｌ３の作動状態を制御する。なお、スイッチ制御部２１による負荷Ｌ１〜Ｌ３の制御方式は、逆位相制御に限られず、順位相制御であってもよいし、ＰＷＭ（Pulse  Width  Modulation）制御であってもよい。
【００３４】
報知部３０は、上記選択信号および選択入力部１１によって選択された負荷をユーザに報知する部分である。報知部３０は、例えば、光を出力するＬＥＤライトであり、操作面１０ａの裏面に設けられている。報知部３０は、ＬＥＤライトに限られず、音を出力するスピーカであってもよい。制御部２０は、上記選択信号および選択入力部１１で受け付けた入力に基づいて、報知部３０を作動させ、作動変更の対象となっている負荷をユーザに知らせる。
【００３５】
［１−３．操作端末の構成］
図５は、スイッチシステム２の操作端末５０を示す図である。
【００３６】
操作端末５０は、各負荷Ｌ１〜Ｌ３を制御するための入力を受け付ける端末入力部５０ａと、通信部（第１の通信部）５０ｂと、各負荷Ｌ１〜Ｌ３を制御する制御部（第１の制御部）５０ｃと、報知部５０ｄとを備えている。端末入力部５０ａ、通信部５０ｂおよび報知部５０ｄのそれぞれは、制御部５０ｃに接続されている。
【００３７】
通信部５０ｂは、例えば無線モジュールおよびアンテナによって構成されている。通信部５０ｂは、無線通信ｒ１によってスイッチ装置１と通信する。具体的には、通信部５０ｂは、制御部５０ｃから出力された制御信号をスイッチ装置１の通信部４０に送信する。
【００３８】
端末入力部５０ａは、ユーザから、負荷Ｌ１〜Ｌ３を制御するための所定の操作入力を受け付ける部分である。端末入力部５０ａは、例えば、静電容量式のタッチパネルであり、平坦な操作面を有している。端末入力部５０ａは、後述する選択入力部５１および作動入力部５２を有している。選択入力部５１および作動入力部５２は、同一の操作面上に設けられる。
【００３９】
選択入力部５１は、負荷Ｌ１〜Ｌ３のうち１以上の負荷を選択する入力を受け付ける。選択される１以上の負荷は、例えば、１つの負荷Ｌ１であってもよいし、２つの負荷Ｌ１、Ｌ２であってもよいし、全ての負荷Ｌ１〜Ｌ３であってもよい。作動入力部５２は、選択入力部５１にて選択された１以上の負荷の作動状態を変更する入力を受け付ける。例えば、各負荷Ｌ１〜Ｌ３が照明器具である場合、作動入力部５２は、照明器具の調光に関する作動状態を変更する入力を受け付ける。
【００４０】
制御部５０ｃは、演算処理を行うＣＰＵ（central  processing  unit）と記憶部５０ｅとを有している。記憶部５０ｅは、ＲＡＭ（Random  Access  Memory）およびＲＯＭ（read  only  memory）によって構成されている。記憶部５０ｅには、負荷Ｌ１〜Ｌ３を制御するためのプログラムが保存されている。プログラムは、例えば、ダウンロードによって記憶部５０ｅに保存される。
【００４１】
図６は、操作端末５０の制御部５０ｃにて実行されるプログラムのフローチャートである。このプログラムは、複数の負荷Ｌ１〜Ｌ３を制御する入力を端末入力部５０ａにて受け付ける第１ステップ（Ｓ１１）と、端末入力部５０ａで受け付けた入力に基づき、複数の負荷Ｌ１〜Ｌ３を制御する制御信号を制御部５０ｃから出力する第２ステップ（Ｓ１２）と、制御部５０ｃから出力された制御信号を、通信部５０ｂを介してスイッチ装置１に送信する第３ステップ（Ｓ１３）とを含む。
【００４２】
このプログラムに基づき、制御部５０ｃは、選択入力部５１にて受け付けた入力に基づいて上記１以上の負荷を選択する選択信号を出力する。また、制御部５０ｃは、作動入力部５２にて受け付けた入力に基づいて、選択された上記１以上の負荷の作動状態を制御する作動変更信号を出力する。出力された選択信号および作動変更信号は、通信部５０ｂを介して、スイッチ装置１に送信される。また制御部５０ｃは、各入力を行うために必要な表示を端末入力部５０ａに表示させる。
【００４３】
報知部５０ｄは、選択入力部５１によって選択された負荷をユーザに報知する部分である。報知部５０ｄは、例えばタッチパネルである。報知部５０ｄのタッチパネルは、入出力を行うためのインターフェースとして、端末入力部５０ａと兼用される。制御部５０ｃは、選択入力部５１で受け付けた入力に基づいて、報知部５０ｄを作動させ、作動変更の対象となっている負荷をユーザに知らせる。なお、報知部５０ｄは、タッチパネルに限られず、音を出力するスピーカであってもよい。
【００４４】
ここで、図７Ａおよび図７Ｂを参照しながら、操作端末５０を用いた操作方法について説明する。図７Ａは、操作端末５０を用いた操作の一例を示す図である。図７Ｂは、操作端末５０を用いた操作の他の一例を示す図である。
【００４５】
端末入力部５０ａの操作面は、操作面に垂直な方向から見た場合に、長方形状であり、長手方向ＬＤに延びる辺と短手方向ＳＤに延びる辺とを有している。
【００４６】
選択入力部５１は、図７Ａに示すように、端末入力部５０ａの短手方向ＳＤに沿うタッチ入力を受け付けることで負荷Ｌ１〜Ｌ３を選択する入力を受け付ける。例えば、負荷Ｌ１が選択されている場面で、端末入力部５０ａに触れたユーザの指を短手方向ＳＤのプラス側に１回移動させると、負荷Ｌ２が選択される。さらに、指を短手方向ＳＤのプラス側に１回移動させると、負荷Ｌ３が選択される。さらに、指を短手方向ＳＤのプラス側に１回移動させると、全ての負荷Ｌ１〜Ｌ３が選択される。
【００４７】
また、負荷Ｌ１〜Ｌ３が選択されている場面で、端末入力部５０ａに触れたユーザの指を短手方向ＳＤのマイナス側に１回移動させると、負荷Ｌ３が選択される。さらに、指を短手方向ＳＤのマイナス側に１回移動させると、負荷Ｌ２が選択される。さらに、指を短手方向ＳＤのマイナス側に１回移動させると、負荷Ｌ１が選択される。
【００４８】
作動入力部５２は、図７Ｂに示すように、端末入力部５０ａの長手方向ＬＤに沿うタッチ入力を受け付けることで、選択入力部５１によって選択された負荷の作動状態を変更する入力を受け付ける。なお、図７Ｂでは、選択入力部５１によって負荷Ｌ１が選択され、負荷Ｌ１に対応するマーク（番号１）が点灯している状態が示されている。
【００４９】
負荷Ｌ１が選択された状態で、端末入力部５０ａに触れたユーザの指を長手方向ＬＤのプラス側またはマイナス側に移動させることで、負荷Ｌ１の作動状態が変更される。例えば、照明器具である負荷Ｌ１が消灯している場面で、指を長手方向ＬＤのプラス側に２５ｍｍ移動させると照明器具が５０％点灯となり、５０ｍｍ移動させると照明器具が１００％点灯となる。また、照明器具である負荷Ｌ１が１００％点灯している場面で、指を長手方向ＬＤのマイナス側に２５ｍｍ移動させると照明器具が５０％点灯となり、５０ｍｍ移動させると照明器具が消灯する。このように作動入力部５２は、指の移動に合わせて負荷Ｌ１の作動状態が段階的に変化するようにまたは連続的に変化するように、作動状態を変更する入力を受け付ける。
【００５０】
［１−４．効果等］
以上、本実施の形態に係るスイッチ装置１は、複数の負荷Ｌ１〜Ｌ３に配線接続されるスイッチ装置１であって、スイッチ装置１は、１連用の取付枠８の開口８ａに設けられ、外部から送信された制御信号を受信する通信部４０と、通信部４０にて受信した制御信号に基づいて、複数の負荷Ｌ１〜Ｌ３を制御する制御部２０とを備える。
【００５１】
これによれば、通信部４０にて受信した制御信号に基づき、１連用の取付枠８に設けられたスイッチ装置１で、複数の負荷Ｌ１〜Ｌ３を制御することができる。すなわち、多連用の装置に比べて小さなサイズのスイッチ装置１にて、複数の負荷Ｌ１〜Ｌ３を制御することができる。
【００５２】
また、上記制御信号は、複数の負荷Ｌ１〜Ｌ３のうち１以上の負荷を選択する選択信号、および、選択された上記１以上の負荷の作動状態を変更する作動変更信号を含み、制御部２０は、通信部４０を介して受信した選択信号に基づいて上記１以上の負荷を選択し、通信部４０を介して受信した作動変更信号に基づいて、選択された上記１以上の負荷の作動状態を制御してもよい。
【００５３】
これによれば、通信部４０にて受信した選択信号および作動変更信号に基づき、１連用の取付枠８に設けられたスイッチ装置１で、複数の負荷Ｌ１〜Ｌ３を制御することができる。
【００５４】
また、複数の負荷Ｌ１〜Ｌ３のそれぞれは、照明器具であり、作動変更信号は、照明器具の調光に関する作動状態を変更する信号であってもよい。
【００５５】
これによれば、１連用の取付枠８に設けられたスイッチ装置１で、複数の照明器具の調光を制御することができる。
【００５６】
また、さらに、複数の負荷Ｌ１〜Ｌ３のうち１以上の負荷を選択する入力を受け付ける選択入力部１１、および、選択された１以上の負荷Ｌ１〜Ｌ３の作動状態を変更する入力を受け付ける作動入力部１２、を有する操作部１０を備え、制御部２０は、通信部４０を介して受信した選択信号または選択入力部１１にて受け付けた入力に基づいて上記１以上の負荷を選択し、通信部４０を介して受信した作動変更信号または作動入力部１２にて受け付けた入力に基づいて、選択された上記１以上の負荷の作動状態を制御してもよい。
【００５７】
これによれば、スイッチ装置１の操作部１０と、通信部４０にて受信した制御信号のそれぞれを用いて、複数の負荷Ｌ１〜Ｌ３を制御することができる。
【００５８】
また、本実施の形態に係るスイッチシステム２は、複数の負荷Ｌ１〜Ｌ３に配線接続されるスイッチ装置１と、スイッチ装置１と通信する操作端末５０とを備える。操作端末５０は、複数の負荷Ｌ１〜Ｌ３を制御する入力を受け付ける端末入力部５０ａと、端末入力部５０ａで受け付けた入力に基づき、複数の負荷Ｌ１〜Ｌ３を制御する制御信号を出力する第１の制御部５０ｃと、第１の制御部５０ｃから出力された制御信号を送信する第１の通信部５０ｂと、を備える。スイッチ装置１は、１連用の取付枠８の開口８ａに設けられ、操作端末５０から送信された制御信号を受信する第２の通信部４０と、第２の通信部４０にて受信した制御信号に基づいて、複数の負荷Ｌ１〜Ｌ３を制御する第２の制御部２０と、を備える。
【００５９】
このスイッチシステム２によれば、操作端末５０にて送信した制御信号に基づき、１連用の取付枠８に設けられたスイッチ装置１で、複数の負荷Ｌ１〜Ｌ３を制御することができる。すなわち、多連用の装置に比べて小さなサイズのスイッチ装置１にて、複数の負荷Ｌ１〜Ｌ３を制御することができる。
【００６０】
また、制御信号は、複数の負荷Ｌ１〜Ｌ３のうち１以上の負荷を選択する選択信号、および、選択された上記１以上の負荷の作動状態を変更する作動変更信号を含み、第２の制御部２０は、第２の通信部４０を介して受信した選択信号に基づいて上記１以上の負荷を選択し、第２の通信部４０を介して受信した作動変更信号に基づいて、選択された上記１以上の負荷の作動状態を制御してもよい。
【００６１】
このスイッチシステム２によれば、上記制御信号に含まれる選択信号および作動変更信号に基づき、１連用の取付枠８に設けられたスイッチ装置１で、複数の負荷Ｌ１〜Ｌ３を制御することができる。
【００６２】
また、複数の負荷Ｌ１〜Ｌ３のそれぞれは、照明器具であり、作動変更信号は、照明器具の調光に関する作動状態を変更する信号であってもよい。
【００６３】
これによれば、上記制御信号に含まれる作動変更信号に基づき、１連用の取付枠８に設けられたスイッチ装置１で、複数の照明器具の調光を制御することができる。
【００６４】
また、本実施の形態に係るプログラムは、複数の負荷Ｌ１〜Ｌ３を制御するスイッチ装置１と通信する操作端末５０にて実行されるプログラムであって、複数の負荷Ｌ１〜Ｌ３を制御する入力を受け付ける第１ステップと、第１ステップで受け付けた入力に基づき、複数の負荷Ｌ１〜Ｌ３を制御する制御信号を出力する第２ステップと、第２ステップで出力された制御信号を、１連用の取付枠８の開口８ａに設けられたスイッチ装置１に送信する第３ステップと、を含む。
【００６５】
このプログラムによれば、操作端末５０で送信した制御信号に基づき、１連用の取付枠８に設けられたスイッチ装置１にて、複数の負荷Ｌ１〜Ｌ３を制御させることができる。
【００６６】
また、制御信号は、複数の負荷Ｌ１〜Ｌ３のうち１以上の負荷を選択する選択信号、および、選択された上記１以上の負荷の作動状態を変更する作動変更信号を含んでいてもよい。
【００６７】
このプログラムによれば、操作端末５０で送信した選択信号および作動変更信号に基づき、１連用の取付枠８に設けられたスイッチ装置１にて、複数の負荷Ｌ１〜Ｌ３を制御させることができる。
【００６８】
また、複数の負荷Ｌ１〜Ｌ３のそれぞれは、照明器具であり、作動変更信号は、照明器具の調光に関する作動状態を変更する信号であってもよい。
【００６９】
これによれば、操作端末５０で送信した作動変更信号に基づき、１連用の取付枠８に設けられたスイッチ装置１にて、複数の照明器具の調光を制御させることができる。
【００７０】
（実施の形態の変形例）
次に、実施の形態の変形例に係る操作端末５０について説明する。変形例に係る操作端末５０は、端末入力部５０ａが入力用のアイコンを有している点で、上記実施の形態と異なる。
【００７１】
図８は、変形例に係る操作端末５０を示す図である。変形例の操作端末５０の端末入力部５０ａは、端末入力部５０ａの操作面に垂直な方向から見た場合に、長方形状である。
【００７２】
選択入力部５１および作動入力部５２は、同一の操作面上に設けられている。選択入力部５１は、端末入力部５０ａの短手方向ＳＤに並ぶ複数の第１アイコンｉ１、ｉ２、ｉ３で構成され、作動入力部５２は、端末入力部５０ａの長手方向ＬＤに並ぶ複数の第２アイコンｉ４、ｉ５で構成されている。
【００７３】
選択入力部５１は、第１アイコンｉ１〜ｉ３による入力を受け付けることで負荷Ｌ１〜Ｌ３を選択する入力を受け付ける。第１アイコンｉ１〜ｉ３は、例えば、第１アイコンｉ１が押圧されると、負荷Ｌ１が選択される。また、負荷Ｌ１が選択された状態で、第１アイコンｉ１が押圧されると、負荷Ｌ１の選択が解除される。また、全ての第１アイコンｉ１〜ｉ３が押圧されると、全ての負荷Ｌ１〜Ｌ３が選択される。
【００７４】
作動入力部５２は、第２アイコンｉ４、ｉ５による入力を受け付けることで、選択された負荷の作動状態を変更する入力を受け付ける。例えば、照明器具である負荷Ｌ１が消灯している場面で、第２アイコンｉ４が１回押圧されると照明器具が５０％点灯となり、さらに１回押圧されると照明器具が１００％点灯となる。また、照明器具である負荷Ｌ１が１００％点灯している場面で、第２アイコンｉ５が１回押圧されると照明器具が５０％点灯となり、さらに１回押圧されると照明器具が消灯する。このように作動入力部５２は、タッチ操作に合わせて負荷Ｌ１の作動状態が段階的に変化するように、作動状態を変更する入力を受け付ける。
【００７５】
報知部５０ｄは、選択された負荷の作動状態をユーザに報知する部分である。報知部５０ｄは、例えばインジケータであり、端末入力部５０ａと同じ操作面上に設けられる。制御部５０ｃは、作動変更信号に基づいて報知部５０ｄを作動させ、作動変更の対象となっている負荷の作動状態をユーザに知らせる。なお、報知部５０ｄは、インジケータに限られず、音を出力するスピーカであってもよい。
【００７６】
このように、変形例のスイッチ装置１においても、通信部４０にて受信した制御信号に基づき、１連用の取付枠８に設けられたスイッチ装置１で、複数の負荷Ｌ１〜Ｌ３を制御することができる。すなわち、多連用の装置に比べて小さなサイズのスイッチ装置１にて、複数の負荷Ｌ１〜Ｌ３を制御することができる。
【００７７】
また、操作端末５０は、選択された上記１以上の負荷（例えば負荷Ｌ１）を示す、または、上記１以上の負荷Ｌ１の作動状態を示す報知部５０ｄをさらに備え、第１の制御部５０ｃは、選択信号または作動変更信号に基づいて、報知部５０ｄを作動させてもよい。
【００７８】
これによれば、ユーザが、現在選択されている負荷Ｌ１、または、選択された負荷Ｌ１の作動状態を操作端末５０にて把握することができる。
【００７９】
（その他の形態）
以上、スイッチ装置について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００８０】
上記実施の形態では、各負荷Ｌ１〜Ｌ３に対して位相制御を行う場合の一例として、２線式の負荷制御システム５（図２Ａ参照）が示されているが、それに限られず、３線式の負荷制御システムであってもよい。
【００８１】
また、上記実施の形態では、スイッチ素子部２２ａの一例として、複数の電界効果トランジスタを用いた例が示されているが、それに限られず、スイッチ素子部２２ａはトライアックで構成されていてもよい。
【００８２】
また、上記実施の形態では、端末入力部５０ａの一例として、静電容量式のタッチパネルを用いた例が示されているが、それに限られず、抵抗膜式、赤外線式、電磁誘導式のタッチパネルであってもよい。
【符号の説明】
【００８３】
１      スイッチ装置
２      スイッチシステム
８      取付枠
８ａ    開口
１０    操作部
１１    選択入力部
１２    作動入力部
２０    制御部（第２の制御部）
２２ａ、２２ｂ、２２ｃ  スイッチ素子部
３０    報知部
４０    通信部（第２の通信部）
５０    操作端末
５０ａ  端末入力部
５０ｂ  通信部（第１の通信部）
５０ｃ  制御部（第１の制御部）
Ｌ１、Ｌ２、Ｌ３  負荷
【図１】
2019133770.tif 000003
【図２Ａ】
2019133770.tif 000004
【図２Ｂ】
2019133770.tif 000005
【図３】
2019133770.tif 000006
【図４】
2019133770.tif 000007
【図５】
2019133770.tif 000008
【図６】
2019133770.tif 000009
【図７Ａ】
2019133770.tif 000010
【図７Ｂ】
2019133770.tif 000011
【図８】
2019133770.tif 000012